(57)【要約】【課題】軽量で信頼性に優れた電動送風機を提供する。【解決手段】回転自在に支持された電機子ユニット（図示せず）の外周に配置されると共に界磁コア１４と界磁巻線（図示せず）とそれらを絶縁する界磁巻枠２６などで構成された界磁ユニット（図示せず）を有し、界磁コア１４のヨーク部１５をフレーム（図示せず）とブラケット（図示せず）で挟み込み、ボルト（図示せず）などで締付け一体に固定した電動送風機において、界磁巻枠２６は、ブラケットのヨーク部１５とのヨーク側接触面（図示せず）で分断された端部２８を有し、端部２８はブラケット側へ突出した突出部３１を有し、ブラケットに突出部３１の軸方向反界磁コア１４側に覆い重なるように近接位置する押さえ部（図示せず）を設け、押さえ部とヨーク部１５により突出部３１を挟み込むもので、界磁巻枠２６の軸方向への移動を抑制し、変形、破損を防止することが可能となる。【選択図】図２
2019146288.tif 000002
【特許請求の範囲】
【請求項１】
回転軸を有し回転可自在に支持された電機子ユニットと、前記電機子ユニットの外周に配置されると共に界磁コアと界磁巻線とそれらを絶縁し配置される界磁巻枠などで構成された界磁ユニットと、前記界磁巻線と前記電機子ユニットを構成する電機子巻線を通電接続するブラシユニットを搭載し、前記界磁コアのヨーク部をフレームとブラケットで挟み込み、前記界磁コアのヨーク部に設けられボルトを内蔵する固定用穴（若しくは切り欠き部）と、前記フレームと前記ブラケットに設けられたボルト固定孔を介してボルトとナットなどで締付け一体に固定し、前記ブラシユニットに内蔵されたブラシと前記電機子ユニットを構成する整流子により整流を行う整流子電動機に、複数のブレードを有し前記回転軸に取り付けられた遠心形のファンと、前記ファンから排出された風を整流するエアガイドと、それらを覆い中央に吸気孔が開口しているファンケースなどから構成される送風部を有した電動送風機において、前記界磁巻枠は、前記ブラケットの前記ヨーク部とのヨーク側接触面で分断された端部を有し、前記端部は前記ブラケット側へ突出した突出部を有し、前記ブラケットには前記突出部の軸方向反前記界磁コア側に覆い重なるように近接位置する押さえ部を設け、前記押さえ部と前記ヨーク部により前記突出部を挟み込みことを特徴とする電動送風機。
【請求項２】
界磁巻枠のブラシユニットに近接する端部近傍にタブ付端子を内蔵する端子台を設け、前記タブ付端子は前記端子台に内蔵される端子ベース部に対しタブ先端部が略９０度に曲げられ、前記タブ先端部は両側の前記ブラシユニット間を結ぶ線Ｃに向かって略９０度に位置し、前記端子台には、前記線Ｃを軸方向へ延ばした面に対し略平行な抑制壁を設け、ブラケットには、前記抑制壁に相対し近接位置する相対壁を少なくとも１箇所以上設けたことを特徴とする請求項１に記載の電動送風機。
【請求項３】
界磁巻枠のブラシユニットと逆側の端部近傍にタブ付端子を内蔵する端子台を設け、前記界磁巻枠の突出部は前記端子台よりもブラケット側に位置し、前記突出部を先端中央部が切り欠かれた二股形状とすると共に、中心軸側に位置する二股の一方は根元より先端の方が界磁コアの両側のティースの中心を結ぶ線Ａに対し遠い位置とし、その二股の切欠き部形状に近似した突起部を前記ブラケットの押さえ部にも設け、前記突起部が前記切り欠き部に内蔵されることを特徴とする請求項１又は２に記載の電動送風機。
【請求項４】
界磁コアの両側のティースの中心を結ぶ線Ａと両側の固定用穴（若しくは切り欠き部）を結ぶ線Ｂが略９０度となるように配置され、両側のブラシの中心を結ぶ線Ｃは、前記線Ａから回転方向側の前記線Ｂの間に位置するように配置され、界磁巻線は、前記界磁コアの前記線Ｃ側のスロットから反ブラシ側のティース面を通り前記線Ｃの反対側のスロットへ巻かれ、前記ブラシ側の前記ティース面を通り、再度前記線Ｃ側の前記スロットへ巻くのを繰り返すことにより構成され、界磁巻枠の両端部には端子台を設け、前記端子台には前記界磁巻線を配置する巻線溝を設け、前記線Ｃ側の前記端子台の前記巻線溝は、前記線Ｃに対し略直角に前記界磁巻線が配置される方向とし、前記線Ｃの反対側の前記端子台の前記巻線溝は、前記線Ａと略直角に配置される方向とし、前記界磁巻線の巻き始め線端部は、前記線Ｃの反対側の前記端子台の前記巻線溝に、前記磁巻線の巻き終わり線端部は、前記線Ｃ側の前記端子台の前記巻線溝にそれぞれ配置され、前記端子台にタブ付端子を圧入することにより前記界磁巻線と前記タブ付端子の接続を行い、前記線Ｃの反対側の前記タブ付端子は電源線と、前記線Ｃ側の前記タブ付端子はブラシユニットとそれぞれ接続することを特徴とする請求項１〜３のいずれか１項に記載の電動送風機。
【請求項５】
巻き始め線端部を内蔵する巻線溝は、巻き終り線端部を内蔵する巻線溝よりも界磁コアに近い位置とすることを特徴とする請求項４に記載の電動送風機。
【請求項６】
線Ｃ側の端子台から線Ａまでの間に界磁巻枠の外側に突出したフック部を設け、前記フック部の界磁巻線が接触するコーナー部は、前記線Ｃ側の端子台の巻線溝の最も前記線Ａ側に近い端部よりも前記線Ａの回転軸から遠い方向に配置し、巻き終り線端部は前記コーナー部にからげ、前記界磁巻線の巻線方向を変更し前記巻線溝に配置することを特徴とする請求項４又は５に記載の電動送風機。
【請求項７】
請求項１〜６のいずれか１項に記載された電動送風機を搭載した電気掃除機。
【発明の詳細な説明】
【技術分野】
【０００１】
本発明は、電機子と界磁による電磁力で回転力を得、ブラシと整流子により整流を行う整流子電動機の回転軸にファンを取り付け、送風作用を営む電動送風機、及び、それを搭載して運転される電気掃除機に関するものである。
【背景技術】
【０００２】
従来、この種の電動送風機は、フレームとブラケットなどから構成されるケーシングに電機子ユニット、界磁ユニット、及びブラシユニットなどが取り付けられた整流子電動機をベースに構成されている。
【０００３】
前記電機子ユニットは、回転軸に軸受、電機子コア、整流子などが圧入され、軸受により回転可能に取り付けられている。
【０００４】
前記界磁ユニットは、界磁巻線、界磁コア、界磁巻枠などから構成され、前記電機子コアの外周側に隙間を介して界磁コアが配置されている。
【０００５】
前記ブラシユニットは、ブラシを内蔵し、界磁コアに巻かれた片側の界磁巻線と電機子コアに巻かれた電機子巻線と、界磁コアに巻かれた他方の界磁巻線と電機子コアに巻かれた電機子巻線とを電機子ユニットを構成する整流子を介して、シリーズに接続している。
【０００６】
シリーズに接続された両端部の界磁巻線に通電を行うことにより、電機子と界磁の電磁作用により電機子ユニットが回転する構成となっている。
【０００７】
しかしながら、近年の小型・軽量化の要求に対応するため、界磁コアのヨーク部に固定用穴（若しくは切り欠き部）を設け、それに連通するボルト固定孔をブラケットとフレーム（若しくはエアガイドと一体化されたフレーム）に設け、界磁コアをブラケットとフレームで挟み込みボルト、ナット等で締め付け固定する電動送風機が提案されている（例えば、特許文献１参照）。
【０００８】
図１３は、上記特許文献１に記載された従来の電動送風機のブラケットと界磁ユニットの斜視図である。
【０００９】
図１３において、従来の電動送風機の界磁ユニット１０は、界磁コア１４に界磁巻線１１が絶縁材料で成型される界磁巻枠２６を介して巻き込まれている。この時、界磁巻枠２６は、ボルト固定孔２０を介してブラケット１７と接触固定される界磁コア１４のヨーク部１５を避ける必要があり、ヨーク部１５を避け外周軸方向にシフトした繋ぎ形状とするか、その部分で界磁巻枠２６を分断する必要があり、特許文献１では後者を採用している。
【００１０】
本構成の界磁巻枠２６は、界磁巻線１１の接続を容易にするために、分断により生成された界磁巻枠２６の端部にタブ付端子２９を内蔵するための端子台３０を設け、端子台３０に界磁巻線１１の巻き始め線端部、及び巻き終わり線端部を配置しタブ付端子２９を圧入することで界磁巻線１１とタブ付端子２９が接続されるものが一般的となっている。
【００１１】
そして片側のタブ付端子２９は電源（図示せず）と接続され、他方のタブ付端子２９は、ブラシユニット１３と接続され、ブラシユニット１３内のブラシ２２と電機子ユニット（図示せず）を構成する整流子（図示せず）を摺動接触させることにより電機子巻線（図
示せず）と回転接続され、他方のブラシ２２及び界磁巻線１１を介して他方の電源線まで通電されるようになっている。
【先行技術文献】
【特許文献】
【００１２】
【特許文献１】特許第２５０１４６９号公報
【発明の概要】
【発明が解決しようとする課題】
【００１３】
しかしながら上記特許文献１に記載されたような従来の電動送風機の構成では、界磁巻枠２６に端部が発生し、その端部に端子台３０が存在するため、タブ付端子２９に掛かる荷重により界磁巻枠２６が変形し破損する危険性があった。特に、電源線接続側のタブ付端子２９は電源線の取り回しであらゆる方向に荷重が掛かるため、界磁巻枠２６の破損防止のため、界磁巻枠２６の肉厚を厚くし大型化する必要があった。また、ブラシユニット１３側のタブ付端子２９ａでも、ブラシユニット１３とタブ付端子２９ａの接触圧を確保するために常にタブ付端子２９ａのタブ先端部３３に荷重が掛かり、タブ先端部の変形や界磁巻枠２６の破損防止のため、界磁巻枠２６の肉厚を厚くし大型化する必要があった。
【００１４】
また、界磁巻線１１の両端部は、界磁巻線１１のクロスオーバーを避けるため、界磁巻線１１がスロット４２から排出されたスロット４２近傍に位置する端子台３０の巻線溝４３にからげられ、端子台３０の巻線溝４３は、回転軸（図示せず）から外周へ向かう方向となっている。
【００１５】
よって、界磁巻線１１の巻き始め線端部は、ティース３９に近接した位置から巻線加工を終え巻重なった巻線の外側へ（ティース３９側からヨーク部１５側へ）向きを反転させて端子台３０へ向かい折り曲げられる必要があり、折り曲げられる箇所でクラックによる断線を引き起こす危険性があった。更にその反転した巻線部では、磁束方向が逆となり磁束ロスが発生する課題もあった。
【００１６】
更にティース３９側からヨーク部１５側へ向きを反転させた界磁巻線１１が更に端子台３０の巻線溝４３で軸中心側から外周方向へ曲げからげられるため、巻線溝のエッジで大きく巻線を曲げる必要があり、巻線のからげ作業が非常にやり難い構成となっていた。
【００１７】
また、巻き終わり線端部ではスロット内で既に巻かれた巻線の束から離れて端子台３０へ配設されるため、磁束ロスを発生していた。
【００１８】
更にスロット内で軸方向に排出された巻線を巻線溝４３で９０度近くに外周側へ折り曲げる必要があり、太い巻線では曲がりきらず、タブ付端子２９の圧入前に巻線溝から浮きや外れを発生し、接続不良を引き起こす危険性があった。
【００１９】
逆に細い巻き線では、エッジ部で断線を引き起こす危険性があった。更に一旦、巻線溝４３から外れると界磁巻線１１が一気に緩むため、界磁巻線がティース３９から脱落し、再度巻き直す修正工程が必要となる危険性があった。
【００２０】
また、ブラシユニット１３と接続するタブ付端子２９ａは、回転軸中心に向かってタブ先端部３３が折り曲げられているが、本構成とする場合、ブラシユニット１３と接続するタブ付端子２９ａの端子ベース部３４は、ブラシユニット１３の下部に配置する必要があるため、この部分には、ブラケット１７を配置できず、ブラシユニット１３を内蔵するブラケット１７の界磁コア１４との接触面積を減少させ、界磁コア１４とブラケット１７との直角度を悪化させる危険性があった。また、曲げられたタブ先端部３３の軸方向下部に
はスロット部（界磁巻線１１が配設されている空間、図では界磁巻線１１で見えない）が存在するため、タブ先端部３３の接触圧による変形を防ぐバックアップを設けることができず、ブラシユニット１３との接触圧でタブ先端部３３が軸方向界磁コア１４側へ変形し接圧低下による通電不良を発生する危険性があった。
【００２１】
また、電源と接続するタブ付端子２９ｂは外周方向に向かってタブ先端部３３が折り曲げられているが、最も回転軸から遠い箇所に更に外向きにタブ先端部３３が伸びるため、電動送風機の最大外周が大きくなり、それに接続し電動送風機を搭載する機器（電気掃除機など）の外郭寸法を増加させる課題があった。
【００２２】
それらの対策として、排出されるスロットではなく逆側のスロット近傍の端子台３０に巻線端部を配置する所謂クロスオーバー接続を行うことも可能であるが、その場合、巻き始め線と巻き終わり線が接触する可能性が高く、その箇所でレアショートが発生すると過大な短絡電流が流れ、巻線の焼損だけでなく他部品への延焼を招く危険性があった。
【００２３】
また、ブラケット１７に界磁コア１４を固定するボルト位置は、ヨーク部１５の中央部に位置する方が強度的に安定するが、ブラシ２２の位置はそれを避け、回転方向か反回転方向にずらす必要性が発生する。
【００２４】
特許文献１では、特に記載されていないが、回転方向側にずらした場合、ブラシ２２の火花発生面がティース３９に近接し、ブラケット１７外部（外郭）にも近接することとなり、異常火花発生時は、火花が界磁巻線１１や界磁巻枠に当たり絶縁劣化を招く危険性や、ブラケット１７外部へ火花が飛び出し電動送風機外部の部品に燃え移る危険性があった。
【００２５】
本発明は、前記従来の課題を解決するもので、界磁巻枠を大型化することなく、タブ付端子２９に掛かる荷重による界磁巻枠２６の変形や破損を防止し、タブ付端子２９とブラシユニット１３との接触圧を安定させ、電動送風機の作製上の界磁巻線１１のからげ性を向上し、小型軽量化と信頼性を両立させた電動送風機、及びそれを搭載した電気掃除機を提供することを目的とする。
【課題を解決するための手段】
【００２６】
前記従来の課題を解決するために、本発明の電動送風機は、回転軸７を有し回転可自在に支持された電機子ユニット９と、前記電機子ユニット９の外周に配置されると共に界磁コア１４と界磁巻線１１とそれらを絶縁し配置される界磁巻枠２６などで構成された界磁ユニット１０と、前記界磁巻線１１と前記電機子ユニット９を構成する電機子巻線１２を通電接続するブラシユニット１３を搭載し、前記界磁コア１４のヨーク部１５をフレーム１６とブラケット１７で挟み込み、前記界磁コア１４のヨーク部１５に設けられボルト１８を内蔵する固定用穴（若しくは切り欠き部）１９と、前記フレーム１６と前記ブラケット１７に設けられたボルト固定孔２０を介して前記ボルト１８とナット２１などで締付け一体に固定し、前記ブラシユニット１３に内蔵されたブラシ２２と前記電機子ユニット９を構成する整流子２３により整流を行う整流子電動機１に、複数のブレード２４を有し前記回転軸７に取り付けられた遠心形のファン２と、前記ファン２から排出された風を整流するエアガイド４と、それらを覆い中央に吸気孔が開口しているファンケース３などから構成される送風部５を有した電動送風機６において、前記界磁巻枠２６は、前記ブラケット１７の前記ヨーク部１５とのヨーク側接触面２７で分断された端部２８を有し、前記端部２８は前記ブラケット側へ突出した突出部３１を有し、前記ブラケット１７には前記突出部３１の軸方向反前記界磁コア側に覆い重なるように近接位置する押さえ部３２を設け、前記押さえ部３２と前記ヨーク部１５により前記突出部３１を挟み込むようにしたもので、界磁巻枠２６の軸方向への移動を抑制出来るので、界磁巻枠２６の端部２８に掛かる
荷重に対し、移動、変形、破損を防止することが可能となる。
【発明の効果】
【００２７】
本発明の電動送風機は、軽量化に有利な界磁コアをブラケットとフレームで挟み込み、ボルトとナット等で締め付け固定し構成する従来の電動送風機の基本構成を変更することなく、かつ、部品点数を増加させることなく、かつ、界磁巻枠を大型化することなく、界磁巻枠の端部に突出部を設けブラケットに押さえ部を設けると言う簡単な方法で、ブラケットに設けた押さえ部が界磁巻枠の突出部の移動を抑制し、タブ付端子に掛かる荷重に対し界磁巻枠の変形、破損を防止できる。更に界磁巻線、端子台、ブラシなどの方向や位置、構成を最適化することで、巻線からげ加工性を向上し、更に信頼性を向上できる。よって、低コストで小型軽量化と信頼性を両立できる電動送風機を実現できる。
【００２８】
また、低コストで小型軽量化と信頼性を両立させた上記電動送風機を、使用時にあらゆる衝撃が発生する電気掃除機に搭載することで信頼性が向上した電気掃除機を提供することができる。
【図面の簡単な説明】
【００２９】
【図１】本発明の実施の形態１における電動送風機の断面図
【図２】同電動送風機の界磁コアとそれに取り付けられた界磁巻枠の斜視図
【図３】同電動送風機のブラケットの界磁コア側から見た下面図
【図４】同ブラケットと界磁巻枠の構成を示す下面斜視図
【図５】本発明の実施の形態２における電動送風機のブラケットと界磁巻枠及びタブ付端子の構成を示す上面斜視図
【図６】同ブラケットと界磁巻枠及びタブ付端子の構成を示す上面図
【図７】同界磁コアに取り付けられたブラケットの斜視図
【図８】本発明の実施の形態３における電動送風機の界磁巻枠の反界磁コア側から見た上面図
【図９】本発明の実施の形態４における電動送風機の界磁コアの上面図
【図１０】同電動送風機の巻線構成を示す上面図
【図１１】同電動送風機のブラシユニットの接続部の部分斜視図
【図１２】本発明の実施の形態５における電動送風機の界磁巻枠の横方向斜視図
【図１３】従来の電動送風機のブラケットと界磁ユニットの斜視図
【発明を実施するための形態】
【００３０】
第１の発明は、回転軸を有し回転可自在に支持された電機子ユニットと、前記電機子ユニットの外周に配置されると共に界磁コアと界磁巻線とそれらを絶縁し配置される界磁巻枠などで構成された界磁ユニットと、前記界磁巻線と前記電機子ユニットを構成する電機子巻線を通電接続するブラシユニットを搭載し、前記界磁コアのヨーク部をフレームとブラケットで挟み込み、前記界磁コアのヨーク部に設けられボルトを内蔵する固定用穴（若しくは切り欠き部）と、前記フレームと前記ブラケットに設けられたボルト固定孔を介して前記ボルトとナットなどで締付け一体に固定し、前記ブラシユニットに内蔵されたブラシと前記電機子ユニットを構成する整流子により整流を行う整流子電動機に、複数のブレードを有し前記回転軸に取り付けられた遠心形のファンと、前記ファンから排出された風を整流するエアガイドと、それらを覆い中央に吸気孔が開口しているファンケースなどから構成される送風部を有した電動送風機において、前記界磁巻枠は、前記ブラケットの前記ヨーク部とのヨーク側接触面で分断された端部を有し、前記端部は前記ブラケット側へ突出した突出部を有し、前記ブラケットには前記突出部の軸方向反前記界磁コア側に覆い重なるように近接位置する押さえ部を設け、前記押さえ部と前記ヨーク部により前記突出部を挟み込むようにしたもので、界磁巻枠の軸方向への移動を抑制出来るので、界磁巻枠の端部に掛かる荷重に対し、移動、変形、破損を防止することが可能となる。
【００３１】
第２の発明は、特に、第１の発明の界磁巻枠のブラシユニットに近接する端部近傍にタブ付端子を内蔵する端子台を設け、前記タブ付端子は前記端子台に内蔵される端子ベース部に対しタブ先端部が略９０度に曲げられ、前記タブ先端部は両側の前記ブラシユニット間を結ぶ線Ｃに向かって略９０度に位置し、前記端子台には、前記線Ｃを軸方向へ延ばした面に対し略平行な抑制壁を設け、ブラケットには、前記抑制壁に相対し近接位置する相対壁を少なくとも１箇所以上設けたもので、ブラシユニットの接続板からタブ先端部に掛かる接触圧により、タブ先端部の変形やタブ付端子を内蔵する端子台の傾き、及び、端子台付け根部の破損を防止することが可能となる。
【００３２】
第３の発明は、特に、第１又は第２の発明の界磁巻枠のブラシユニットと逆側の端部近傍にタブ付端子を内蔵する端子台を設け、前記界磁巻枠の突出部は前記端子台よりもブラケット側に位置し、前記突出部を先端中央部が切り欠かれた二股形状とすると共に、中心軸側に位置する二股の一方は根元より先端の方が界磁コアの両側のティースの中心を結ぶ線Ａに対し遠い位置とし、その二股の切欠き部形状に近似した突起部を前記ブラケットの押さえ部にも設け、前記突起部が前記切り欠き部に内蔵されるもので、突起部のあらゆる方向への移動を抑制し、タブ付端子に掛かるあらゆる方向からの荷重に対し、端子台の移動、傾き、及び、端子台付け根部の破損を防止することが可能となる。
【００３３】
第４の発明は、特に、第１〜３のいずれか一つの発明の界磁コアの両側のティースの中心を結ぶ線Ａと両側の固定用穴（若しくは切り欠き部）を結ぶ線Ｂが略９０度となるように配置され、両側のブラシの中心を結ぶ線Ｃは、前記線Ａから回転方向側の前記線Ｂの間に位置するように配置され、界磁巻線は、前記界磁コアの前記線Ｃ側のスロットから反ブラシ側のティース面を通り前記線Ｃの反対側のスロットへ巻かれ、前記ブラシ側の前記ティース面を通り、再度前記線Ｃ側の前記スロットへ巻くのを繰り返すことにより構成され、界磁巻枠の両端部には端子台を設け、前記端子台には前記界磁巻線を配置する巻線溝を設け、前記線Ｃ側の前記端子台の前記巻線溝は、前記線Ｃに対し略直角に前記界磁巻線が配置される方向とし、前記線Ｃの反対側の前記端子台の前記巻線溝は、前記線Ａと略直角に配置される方向とし、前記界磁巻線の巻き始め線端部は、前記線Ｃの反対側の前記端子台の前記巻線溝に、前記磁巻線の巻き終わり線端部は、前記線Ｃ側の前記端子台の前記巻線溝にそれぞれ配置され、前記端子台にタブ付端子を圧入することにより前記界磁巻線と前記タブ付端子の接続を行い、前記線Ｃの反対側の前記タブ付端子は電源線と、前記線Ｃ側の前記タブ付端子はブラシユニットとそれぞれ接続するもので、ブラシユニットの火花発生側が界磁巻線や界磁巻枠から遠くなり、且つ、ブラケット外端から遠い内部に位置することとなり、異常火花発生時に火花が界磁巻線や界磁巻枠に当たり絶縁劣化を招く危険性や、ブラケット外部へ火花が飛び出し電動送風機外部の部品に燃え移る危険性を低減できる。
【００３４】
また界磁巻線の巻き方向に対しほぼ直線的に端子台の巻線溝に界磁巻線を配置することができるため、界磁巻線を大きく曲げることなく巻線溝へ配置することが可能となり界磁巻線に負担を掛けることなくからげ加工が容易となり、かつ、巻線溝に密着し浮きなどが発生し難い。また、タブ付端子のタブ先端部がヨーク部の外側に位置するため電動送風機の最大寸法を大きくすることがない。
【００３５】
また、ブラシユニット側の接続端子はブラシユニットに対しタブ付端子のタブ先端部がブラシユニットの下部に位置するため、ブラケットをタブ先端部の下面まで配置でき、ブラケットと界磁コアとの直角度が安定し易い、また、タブ先端部の下部は界磁コアであるため、タブ先端部のバックアップを設けることが可能となり、接圧によるタブ先端部の変形を防止できる。また、タブ先端部とブラシユニットの接続部が略直角になるためブラシユニットをブラケットに取り付けるときに挿入しやすく、接触も安定し易く接触不良を改
善できる。
【００３６】
また、界磁巻線の巻き始め線と巻き終わり線がクロスする所謂クロスオーバー構成となるが、巻き始め線が最も界磁コアに近い位置となり、巻き終わり線が界磁コアから遠い位置となるため、軸方向に離れた位置となり接触することがなく、巻き始め線と巻き終わり線がレアショートすることで発生する大きな短絡を防ぐことができるものである。
【００３７】
第５の発明は、特に、第４の発明の巻き始め線端部を内蔵する巻線溝は、巻き終り線端部を内蔵する巻線溝よりも界磁コアに近い位置とするもので、巻き始め線と巻き終わり線との軸方向距離が拡大され、より巻き始め線と巻き終わり線の接触を防止することが可能となる。
【００３８】
第６の発明は、特に、第４または第５の発明の線Ｃ側の端子台から線Ａまでの間に界磁巻枠の外側に突出したフック部を設け、前記フック部の界磁巻線が接触するコーナー部は、前記線Ｃ側の端子台の巻線溝の最も前記線Ａ側に近い端部よりも前記線Ａの回転軸から遠い方向に配置し、巻き終り線端部は前記コーナー部にからげ、前記界磁巻線の巻線方向を変更し前記巻線溝に配置するもので、巻き終わり線側の端子台の巻線溝方向と巻線方向とのずれを補正することが可能となり、タブ付端子とブラシユニットの接続板との接触良好性を維持しながら巻線からげ加工性をより改善できるため、作業効率が改善する。
【００３９】
第７の発明に係る電気掃除機は、請求項１〜６のいずれか１項に記載された電動送風機を搭載したもので、軽量化と信頼性を両立した電気掃除機を提供することができる。
【００４０】
以下、本発明の実施の形態について、図面を参照しながら説明する。なお、この実施の形態によって本発明が限定されるものではない。
【００４１】
（実施の形態１）
図１は、本発明の実施の形態１における電動送風機の断面図、図２は、同電動送風機の界磁コアとそれに取り付けられた界磁巻枠の斜視図、図３は、同電動送風機のブラケットの界磁コア側から見た下面図、図４は、同ブラケットと界磁巻枠の構成を示す下面斜視図である。
【００４２】
図１において、本実施の形態における電動送風機６は、整流子電動機１に、ファン２、ファンケース３、エアガイド４などからなる送風部５を搭載して構成されている。
【００４３】
整流子電動機１は、回転軸７に圧入された軸受８により回転可能に支持された電機子ユニット９と、電機子ユニット９の外周に配置された界磁ユニット１０と、前記界磁ユニット１０を構成すると共に界磁巻枠２６に巻回された界磁巻線１１と電機子ユニット９を構成する電機子巻線１２を通電接続するブラシユニット１３を搭載し、前記界磁ユニット１０を構成する界磁コア１４のヨーク部１５をフレーム１６とブラケット１７で挟み込み、前記界磁コア１４のヨーク部１５に設けられたボルト１８を内蔵する固定用穴１９（若しくは切り欠き部）とフレーム１６とブラケット１７に設けられたボルト固定孔２０を介して、ボルト１８とナット２１などで締付け一体に固定し、前記ブラシユニット１３に内蔵されるブラシ２２と電機子ユニット９を構成する整流子２３により整流を行う構成となっている。
【００４４】
更に、前記回転軸７には複数のブレード２４を有する遠心形のファン２が取り付けられ、前記ファン２から排出された風を整流するエアガイド４と、それらを覆うと共に中央に吸気孔２５が開口しているファンケース３などを搭載し、電動送風機６を構成している。
【００４５】
図２〜４において、前記界磁巻枠２６の界磁コア１４に面する形状は、界磁コア１４に近似して形成され、前記ブラケット１７の界磁コア１４のヨーク側接触面２７で分断された端部２８を有し、その端部２８にはタブ付端子２９を内蔵する端子台３０を設け、端子台３０のブラケット１７側には、ブラケット１７へ向かい突出した突出部３１を有し、前記ブラケット１７には、前記突出部３１の軸方向反界磁コア１４側部に覆い重なるように近接位置する押さえ部３２を設け、ブラケット１７の押さえ部３２と界磁コア１４により界磁巻枠２６の突出部３１を挟み込み、ボルト１８とナット２１で締め付け固定する。
【００４６】
上記構成により、界磁巻枠２６に端部２８が存在する構成であってもブラケット１７の押さえ部３２が界磁巻枠２６の突出部３１の軸方向への移動を抑制し、タブ付端子２９に掛かる荷重に対し、界磁巻枠２６が変形や破損することを防止でき、軽量を維持したまま、信頼性の高い電動送風機６を実現できる。
【００４７】
（実施の形態２）
図５は、本発明の実施の形態２における電動送風機のブラケットと界磁巻枠及びタブ付端子の構成を示す上面斜視図、図６は、同ブラケットと界磁巻枠及びタブ付端子の構成を示す上面図、図７は、同界磁コアに取り付けられたブラケットの斜視図である。なお上記実施の形態１における電動送風機と同一部分については同一符号を付してその説明を省略する、
図５〜７において、本実施の形態における電動送風機６のブラシユニット１３と接続する側のタブ付端子２９ａのタブ先端部３３ａは、端子台３０ａに内蔵される端子ベース部３４ａ対し略９０度に曲げられ、界磁コア１４の平面部に略並行となっている。
【００４８】
タブ先端部３３ａは、両側のブラシユニット１３間を結ぶ線Ｃに向かって略９０度に位置し、端子台３０には前記線Ｃを軸方向へ延ばした面に対し略平行な抑制壁３５を設け、ブラケットには、前記抑制壁３５に相対し位置する相対壁３６を設けるものである。尚、図７では相対壁３６を２箇所設けているが、１箇所以上あれば問題はない。
【００４９】
上記構成により、ブラシユニット１３と接続するタブ付端子２９ａのタブ先端部３３ａとの接触が安定すると共に、タブ先端部３３ａに掛かる接触圧で、端子台３０ａのタブ先端部３３ａ側が界磁コア１４側に変形し、タブ付端子２９ａとブラシユニット１３との接触が弱まる危険性や界磁巻枠２６の変形や破損を防止でき、軽量で信頼性の高い電動送風機６を実現できる。
【００５０】
（実施の形態３）
図８は、本発明の実施の形態３における電動送風機の界磁巻枠の反界磁コア側から見た上面図である。なお上記実施の形態における電動送風機と同一部分については同一符号を付してその説明を省略する。
【００５１】
図８において、本実施の形態における電動送風機６の界磁巻枠２６のブラシユニット１３に近接する側と逆方向の端子台３０ｂに近接する突出部３１は略中央部に切り欠き部３７を有し、前記突出部３１は前記切り欠き部３７により分断され突出部３１ａと突出部３１ｂの二股形状となっている。
【００５２】
切り欠き部３７の切り欠き先端部３８と前記線Ａとの距離ａは、突出部３１の中心軸側に位置する二股の一方の突出部３１ａの突出先端部４０と線Ａとの距離ｂより小さく設定すると共に、前記切り欠き部３７の形状に近似し、前記線Ａと根元部までの距離ｃ（図３参照）＜前記線Ａと先端部までの距離ｄ（図３参照）となるストッパ４１（図３参照）をブラケット１７の押さえ部３２（図４参照）に設け、界磁巻枠２６の切り欠き部３７にストッパ４１を内蔵して組み立てる構成としている。
【００５３】
上記構成により、電源線の引き回しによりあらゆる方向から荷重が掛かる危険性があるタブ付端子２９ｂを内蔵する端子台３０ｂの移動を抑制でき、界磁巻枠２６の移動、変形、破損を防止でき、信頼性の高い電動送風機６を実現できる。
【００５４】
（実施の形態４）
図９は、本発明の実施の形態４における電動送風機の界磁コアの上面図、図１０は、同電動送風機の巻線構成を示す上面図、図１１は、同電動送風機のブラシユニットの接続部の部分斜視図である。なお上記実施の形態における電動送風機と同一部分については同一符号を付してその説明を省略する。
【００５５】
図９において、本実施の形態における電動送風機６は、線Ａと両側の固定用穴（若しくは切り欠き部）１９を結ぶ線Ｂが略９０度で配置され、両側のブラシユニット１３の中心を結ぶ線Ｃは、前記線Ａから回転方向側の線Ｂのと間に位置し、界磁巻線１１は線Ｃ側のスロット４２ａから反ブラシユニット１３側のティース３９の面を通り反線Ｃ側のスロット４２ｂへ巻かれ、ブラシユニット１３側のティース３９の面を通り、再度前記線Ｃ側のスロット４２ａへ巻かれ、それを繰り返すことにより構成される。
【００５６】
図８、１０において、端子台３０ａ、３０ｂのそれぞれに界磁巻線１１を配置する巻線溝４３ａ、４３ｂを設け、線Ｃ側の端子台３０ａの巻線溝４３ａは、線Ｃに対し略直角に界磁巻線１１が配置される方向とし、反線Ｃ側の端子台３０ｂの巻線溝４３ｂは、線Ａと略直角に配置される方向とし、界磁巻線１１の巻き始め線端部４４は、反線Ｃ側の端子台３０ｂの巻線溝４３ｂに、界磁巻線１１の巻き終わり線端部４５は、線Ｃ側の端子台３０ａの巻線溝４３ａに配置され、端子台３０ａ、３０ｂのそれぞれにタブ付端子２９ａ、２９ｂを圧入することにより界磁巻線１１とタブ付端子２９の接続を行い、反線Ｃ側のタブ付端子２９ｂは電源線と、線Ｃ側のタブ付端子２９ａはブラシユニット１３と接続される。
【００５７】
本実施の形態における電動送風機６は、以上のように構成されているので、ブラシユニット１３の火花発生側（回転方向側）が界磁巻線１１や界磁巻枠２６から遠くなり、且つ、ブラケット１７外端から遠い内部に位置することとなり、異常火花発生時に火花が界磁巻線１１や界磁巻枠２６に当たり絶縁劣化を招く危険性や、ブラケット１７外部へ火花が飛び出し整流子電動機１外部の部品に燃え移る危険性を低減できる。
【００５８】
また界磁巻線１１の巻き方向に対し大きくずれることなく端子台３０の巻線溝４３に界磁巻線１１を配置することができるため、界磁巻線１１に大きな曲がりを発生させることなく、界磁巻線１１のからげ加工が容易に行えるため、界磁巻線１１の断線や浮きを発生させることなく作業効率を改善できる。
【００５９】
また、図１１において、ブラシユニット１３側のタブ付端子２９ａは、ブラシユニット１３に対しタブ付端子２９ａのタブ先端部３３が、ブラシユニット１３の接続板４６と略直角となることで、ブラケット１７にブラシユニット１３を挿入する際に変形が起こりにくく、接続も安定して行える。また、タブ先端部３３の下方界磁コア１４側にバックアップ４７を設けることが可能となり、接続板４６とタブ先端部３３の接触圧によるタブ先端部３３の変形による接触劣化を防止できる。
【００６０】
また本実施の形態では、巻き始め線端部４４と巻き終わり線端部４５がクロスする所謂クロスオーバー構成となるが、巻き始め線端部４４が最も界磁コア１４に近い位置となり、巻き終わり線端部４５が界磁コア１４から遠い位置となるため、軸方向に離れた位置となり接触することがなく、巻き始め線端部４４と巻き終わり線端部４５がレアショートす
る大きな短絡を防ぐことができる。
【００６１】
（実施の形態５）
図１２は、本発明の実施の形態５における電動送風機の界磁巻枠の横方向斜視図である。なお上記実施の形態における電動送風機と同一部分については同一符号を付してその説明を省略する。
【００６２】
図１２において、本実施の形態における電動送風機６では、界磁巻線１１の巻き始め線端部４４を内蔵する巻線溝４３ｂの界磁コア１４からの高さｅは、巻き終わり線端部４５を内蔵する巻線溝４３ａの界磁コア１４からの高さｆよりも低い（界磁コア１４に近い位置）位置に配置している。
【００６３】
本実施の形態における電動送風機６は、以上のように構成されているので、巻き始め線端部４４と巻き終わり線端部４５との軸方向距離が更に拡大され、より巻き始め線端部４４と巻き終わり線端部４５の接触を防止することが可能となる。
【００６４】
また、図８、１０、１２に示すように、線Ｃ側の端子台３０ａから線Ａまでの間に界磁巻枠２６の外側に突出したフック部４８を設け、フック部４８の界磁巻線１１が接触するコーナー部４９は、線Ｃ側端子台３０ａの巻線溝４３ａの最も線Ａ側に近い端部５０よりも線Ａ方向の回転軸７から遠い方向に配置し（図８において、距離ｇ＜距離ｈ）、巻き終わり線端部４５は、コーナー部４９にからげ、巻線方向を緩やかに変更し巻線溝４３ａに配置されている。
【００６５】
上記構成により、巻き終わり線端部４５側の端子台３０ａの巻線溝４３ａ方向と巻線方向とのずれを補正することが可能となり、タブ先端部３３と接続板４６との接触良好性を維持しながら巻線からげ加工性と界磁巻線へのストレスをより改善できるため、作業効率と信頼性が更に改善できる。
【００６６】
以上のように、上記実施の形態における電動送風機６は、軽量化を維持したまま、タブ付端子２９にかかるあらゆる荷重に対し端子台３０などの変形や破損を防止でき、更に巻線からげを簡易にでき、巻線に掛かるストレスを低減できる。また、ブラケットと界磁コアの接触面積を大きく設定し火花の発生箇所をブラケット１７内部に位置できるため信頼性の改善も実現できる。よって、比較的回転数が高く振動の大きい電動送風機６でもより効果を発揮できるものである。
【００６７】
更に、使用時にあらゆる方向から衝撃が加わる電気掃除機に上記実施の形態における電動送風機６を搭載することで、小型軽量低コストで信頼性の高い電気掃除機を提供することができる。
【産業上の利用可能性】
【００６８】
以上のように、本発明にかかる電動送風機は小型軽量低コストで信頼性を高めることが可能であり、電気掃除機で大きく効果を発揮できるが、同様の要求がある、エアータオルや吸引機などの用途にも適用できる。
【符号の説明】
【００６９】
１  整流子電動機
２  ファン
３  ファンケース
４  エアガイド
５  送風部
６  電動送風機
７  回転軸
８  軸受
９  電機子ユニット
１０  界磁ユニット
１１  界磁巻線
１２  電機子巻線
１３  ブラシユニット
１４  界磁コア
１５  ヨーク部
１６  フレーム
１７  ブラケット
１８  ボルト
１９  固定用穴（若しくは切り欠き部）
２０  ボルト固定孔
２１  ナット
２２  ブラシ
２３  整流子
２４  ブレード
２５  吸気孔
２６  界磁巻枠
２７  ヨーク側接触面
２８  端部
２９、２９ａ、２９ｂ  タブ付端子
２９ｃ  タブ部
３０、３０ａ、３０ｂ  端子台
３１、３１ａ、３１ｂ  突出部
３２  押さえ部
３３、３３ａ、３３ｂ  タブ先端部
３４、３４ａ  端子ベース部
３５  抑制壁
３６  相対壁
３７  切り欠き部
３８  切り欠き先端部
３９  ティース
４０  突出先端部
４１  ストッパ
４２、４２ａ、４２ｂ  スロット
４３、４３ａ、４３ｂ  巻線溝
４４  巻き始め線端部
４５  巻き終わり線端部
４６  接続板
４７  バックアップ
４８  フック部
４９  コーナー部
５０  端部
【図１】
2019146288.tif 000003
【図２】
2019146288.tif 000004
【図３】
2019146288.tif 000005
【図４】
2019146288.tif 000006
【図５】
2019146288.tif 000007
【図６】
2019146288.tif 000008
【図７】
2019146288.tif 000009
【図８】
2019146288.tif 000010
【図９】
2019146288.tif 000011
【図１０】
2019146288.tif 000012
【図１１】
2019146288.tif 000013
【図１２】
2019146288.tif 000014
【図１３】
2019146288.tif 000015